(57)【要約】    【課題】  水栓のアーム式ハンドルの水栓への固定作業の作業コスト、及び製造コストを低減させること。    【解決手段】  水栓のアーム式ハンドルの固定構造１において、切換ハンドル６６の第二切換ハンドル部材６９への取付を、取付部３０に差し込み固定されたＥリング３３により行い、第二切換ハンドル部材６９を水栓カバー１００のカバー本体部１０２に対して回動自在に係止固定されることとした。また、Ｅリング３３は、カバー本体部１０２の裏側から固定することとした。    【選択図】    図３
2006016761.tif 000002
【特許請求の範囲】
【請求項１】
水栓カバーを備える水栓のアーム式ハンドルの固定構造であって、
前記ハンドルの水栓に対する取付部の少なくとも一つが、前記水栓カバーのカバー本体部に対して回動自在に係止固定されたことを特徴とする水栓のアーム式ハンドルの固定構造。  
【請求項２】
前記カバー本体部に係止固定される前記取付部は、前記カバー本体部に対してＥリングを用いて係止されることを特徴とする請求項１に記載の水栓のアーム式ハンドルの固定構造。
【発明の詳細な説明】
【技術分野】
【０００１】
本発明は、水栓のアーム式ハンドルの固定構造に関する。
【背景技術】
【０００２】
従来、水栓のハンドルとしてアーム式のハンドルが知られている。図５に示すように、この水栓１４０には、水栓本体１４２内部の弁体（図示省略）を駆動するためのアーム式のハンドル１４１が取り付けられている。ハンドル１４１は、その全体が平面視略コ字状に形成されており、その両端において水栓本体１４２にねじ止めされている。このハンドル１４１においては、正面視左側の取付部１４３が水栓本体１４２に軸着された上で、右側の取付部１４４においては、ハンドル本体１４５に対して別体の取付部材１４６をねじ止めするとともに、この取付部材１４６の軸心１４７にスピンドル１４８を噛合し、取付部材１４６とスピンドル１４８とをねじ止めしてハンドル１４１を水栓本体１４２に固定し、さらにこの取付部材１４６の右側面のねじが露呈する部位をキャップ１４９にて被覆している（例えば、特許文献１）。
【０００３】
【特許文献１】特開平１０−２２７３７１号公報（図２１等）
【発明の開示】
【発明が解決しようとする課題】
【０００４】
しかしながら、この従来のアーム式ハンドルの固定構造１５０では、取付部１４３，１４４を水栓本体１４２に対してねじ止めする必要があるため、ねじ止め作業に時間がかかり作業コストを低減させることができないという問題があった。また、ねじ止めによってハンドル１４１を水栓本体１４２に固定するために、美観上、ねじが水栓１４０外部に露呈しないように、ねじ止めした部位を全てキャップ１４９などによって覆う必要があり、製造コストも低減できないという問題もあった。
【０００５】
本発明は上記した従来の水栓のアーム式ハンドルの固定構造の問題点を解消するものであり、水栓への固定作業の作業コスト、及び製造コストを低減させることのできる水栓のアーム式ハンドルの固定構造を提供することを目的とする。
【課題を解決するための手段】
【０００６】
以上の課題を解決するために、本発明の採った手段を以下に説明する。本発明の水栓のアーム式ハンドルの固定構造は、浴室のカウンターのパネル、水栓ボックス、水栓カバーなどの被覆部材を備える水栓のアーム式ハンドルの固定構造であって、前記ハンドルの水栓に対する取付部の少なくとも一つが、前記被覆部材のカバー本体部に対して回動自在に係止固定されたことを特徴とする水栓のアーム式ハンドルの固定構造である（請求項１）。
【０００７】
このように、アーム式ハンドルの取付部の少なくとも一つをカバー本体部に回動自在に係止固定するものとすることにより、ねじ止めの必要が無い。係止固定の手段としては、例えば、カバー本体部に形成した取付孔に、ＥリングやＣリングなどにより係止固定される軸部、取付部などを軸着するものなどを例示できる。また、このようにカバー本体部に対して係止固定することにより、カバー本体部の裏側においてＥリングなどにより係止固定できる。よって、従来の固定構造のように水栓本体にねじ止めなどをするために水栓本体の外側にねじが必ず露呈され、このためにキャップなどによりねじを覆う必要はなく、キャップなどの部品は不要となる。
【０００８】
また上記した水栓のアーム式ハンドルの固定構造において、カバー本体部に係止固定される取付部は、カバー本体部に対してＥリングを用いて係止されるものとしてもよい（請求項２）。
【０００９】
前記したように、Ｅリングを用いて係止することにより、カバー本体部への固定構造をいっそう簡略化でき、その取付作業もより簡略することができる。
【発明の効果】
【００１０】
本発明は上記のように、ハンドルの取付部の一つがカバー本体部に係止固定されるので、ねじ止めの必要が無く、固定作業を簡略化でき、作業コストを低減させることができる。また、美観を向上させるためのキャップなどが不要となるので製造コストも低減させることができる。
【発明を実施するための最良の形態】
【００１１】
次に、本発明の水栓のアーム式ハンドルの固定構造の実施の形態を図を参考にして詳細に説明する。本発明の水栓のアーム式ハンドルの固定構造１は、図１に示す水栓１０に設けられた切換弁装置６０において、「アーム式ハンドル」の一例である切換ハンドル６６の固定に用いられるものである。
【００１２】
図２に示すように、水栓１０は、水栓本体１２及び水栓カバー１００がステー８０により壁面２に設置固定されるものである。水栓本体１２は、水栓本体１２外から供給される湯・水を混合する混合弁装置４０と、この混合弁装置４０において適宜混合された混合水が供給されるとともに、この混合水の吐止水、及び吐水管（図示省略）とシャワー装置（図示省略）からの吐水の切換を行うための切換弁装置６０とを備えている。水栓１０の下方には、湯側及び水側の配管３ａ及び３ｂがそれぞれ引き回されており、これらの配管３ａ，３ｂが水栓カバー１００内に引き込まれている。また、配管３ａ，３ｂの先端には、それぞれ止水栓ユニット１４がナット４によって接続固定されている。止水栓ユニット１４内には止水弁１５及び逆止弁１６が内蔵されており、これらを操作するための操作スピンドル１７及び操作つまみ１８が水栓１０正面側に向けてそれぞれ備えられている。そして、止水栓ユニット１４は、クイックファスナー５によって、混合弁装置４０から突設される湯側接続管及び水側接続管４４にそれぞれ接続固定されている。このようにして、配管３ａ，３ｂから供給される湯・水は、混合弁装置４０へと流入される。
【００１３】
混合弁装置４０には、水栓１０正面側やや上方寄りに、斜め上方に向けて突出されて温度調節ハンドル４６が取り付けられている。この温度調節ハンドル４６を回動操作することにより、混合弁装置４０内において混合される混合水が所定温度となるように、内蔵されたサーモカートリッジ４８が駆動される。そして、混合弁装置４０において混合された混合水は混合配管５０を経て切換弁装置６０に流入される。
【００１４】
切換弁装置６０は、その長手方向を水栓１０正面側からみて真横となるようにして、水栓１０正面寄りに設けられている。また、図２及び図３に示すように、切換弁装置６０には、前記したように混合弁装置４０に接続される混合配管５０のほか、吐水管に接続される吐水配管６２、シャワー装置に接続されるシャワー配管６４がそれぞれ接続されている。
【００１５】
また、図２に示すように、水栓本体１２はステー８０に取付固定されている。混合弁装置４０は、ステー８０の取付孔８１に挿通され、外周面に周設されたフランジ４１と、スペーサ６を介して取り付けられる固定ナット７とによって取付孔８１周縁のステー８０が挟持されて、ステー８０に固定されている。また、切換弁装置６０は、ねじ止めされる固定プレート１３０を介してステー８０に取付固定されている。
【００１６】
また、止水栓ユニット１４はステー８０下部の取付片８２にねじ止めされている。そして、ステー８０自体は、上方の固定片８４及び下方の固定片８５がそれぞれ壁面２にねじ止めされている。このようにして、水栓本体１２はステー８０を介して壁面２に固定されている。また、水栓カバー１００は、その上部においてステー８０のカバー取付用の取付片８３にねじ止めされている。
【００１７】
水栓カバー１００は、図１に示すように、カバー本体部１０２とメンテナンスカバー１０４とフタ１０６とを備えている。水栓カバー１００全体は、下方寄りを正面側に膨出させたボックス状に形成されており、水栓本体１２、止水栓ユニット１４、ステー８０などをその内部に収容している。また、カバー本体部１０２の正面上方寄りからは、手前側斜め上方に向けて、前記した温度調節ハンドル４６が突設されている。また、この温度調節ハンドル４６のやや下方で、カバー本体部１０２の正面側ほぼ中央には、前記した切換ハンドル６６が取り付けられている。メンテナンスカバー１０４は、カバー本体部１０２に対して横方向にスライド自在に取り付けられており、このメンテナンスカバー１０４をスライドさせて、固定片８５の壁面２へのねじ止めを行うことができる。また同様に、フタ１０６を取り外すことにより、固定片８４の壁面２へのねじ止めを行うことができる。さらに、水栓１０を壁面２に設置した後においても、メンテナンスカバー１０４を開けることによって、必要に応じて止水栓ユニット１４のメンテナンス作業などを行うこともできる。また、図３に示すように、カバー本体部１０２の切換弁装置６０の一端側近傍には、後述する第一切換ハンドル部材６８の取付部３０が挿通される取付孔１０７が開設されている。
【００１８】
次いで切換弁装置６０について説明する。図３に示すように、切換弁装置６０には、切換ハンドル６６のほか、内部に通水室が形成されるボデー６７や、切換弁６３を駆動するスピンドル７２などが備えられており、スピンドル７２に軸着された切換ハンドル６６の操作によって切換弁６３を駆動して、吐水管又はシャワー装置からの吐水の選択及び吐止水が行われる。
【００１９】
ボデー６７には、ボデー６７を固定プレート１３０に当接させて固定プレート１３０に固定するための取付固定部７６が形成されている。取付固定部７６は、その当接面が固定プレート１３０に対応してほぼ面一に形成されており、この取付固定部７６に、混合配管５０、吐水配管６２及びシャワー配管６４が挿通接続される接続部７５ａ，ｂ，ｃがそれぞれ穿設されている。
【００２０】
また、ボデー６７内部には、３つの通水室６１ａ，ｂ，ｃが形成されており、これらの通水室６１ａ，ｂ，ｃは接続部７５ａ，ｂ，ｃに各々連通されている。
【００２１】
ボデ６７内には、混合配管５０が連通する通水室６１ａと、吐水配管６２に連通される通水室６１ａ又はシャワー配管６４に連通する通水室６１ｂとのいずれかを連通するように駆動される切換弁６３が回動自在に取り付けられている。切換弁６３はいわゆる「ディスク弁」の一種でありボデー６７内部に配設される内筒部７８に連通する通水部６５が形成されている。内筒部７８は通水室６１ａに連通されている。また、切換弁６３の回動方向により通水部６５が通水室６１ｂ又は６１ｃのいずれかに連通可能に設けられている。また、回動位置の中間点では、いずれの通水室６１ｂ及び６１ｃにも通水部６５が連通されず、吐水を停止できるように構成されている。
【００２２】
この切換弁６３には、ボデー６７から突設されるスピンドル７２が軸着されて固定されている。また、スピンドル７２は、固定ナット７３によってボデー６７に回動自在に固定されており、さらにスリーブ７４によって、固定ナット７３のボデー６７に対する緩み止めがなされている。
【００２３】
そして、水栓１０正面側から見て手前側には、水栓１０の上下方向において回動操作が可能な切換ハンドル６６が取り付けられている。切換ハンドル６６は、スピンドル７２に軸着された第一切換ハンドル部材６８と、スピンドル７２とは反対側の水栓カバー１００のカバー本体部１０２に回動自在に軸着された第二切換ハンドル部材６９とを備えている。第一切換ハンドル部材６８は、略円筒状の本体部２０と、この本体部２０の外周面からその軸心方向に沿って延設される把持部２１とを備えている。本体部２１は、その開口部２２側の内部に固定ナット７３やスリーブ７４を収容被覆するとともに、開口部２２と反対側に形成された内筒部２３内に、スピンドル７２の先端を回動不能に収容固定している。また、スピンドル７２が収容される内筒部２３には、スピンドル７２などが外部に露呈しないように、その外側にキャップ２４が取り付けられている。
【００２４】
また、把持部２１からは、本体部２０の開口部２２側に、アーム部２５が突設されている。アーム部２５の先端には、後述する第二切換ハンドル部材６９側のアーム部２７が嵌合される嵌合部２６が形成されている。
【００２５】
一方、第二切換ハンドル部材６９は、図４に示すように、円盤状の本体部２８と、この本体部２８の外周縁から延設される略Ｌ字状のアーム部２７を備えている。アーム部２７の先端には、上記したように、第一切換ハンドル部材６８のアーム部２５の嵌合部２６と嵌合可能な被嵌合部２９が形成されている。
【００２６】
また、本体部２８の軸心には、円筒状の取付部３０が形成されている。この取付部３０には、図３にも示すように、その基端側の外周面に、Ｏリング３１が装着された周溝３２が形成されており、また、この周溝３２よりも先端側の外周面には、Ｅリング３３が差し込み固定される差し込み溝３４が形成されている。図３に示すように、取付部３０に固定されたＥリング３３は、カバー本体部１０２内側に位置されるように固定されている。Ｅリング３３の外径は、カバー本体部１０２の取付孔１０７内径よりも大きく形成されており、このＥリング３３によって、取付部３０がカバー本体部１０２内側から、回動可能に係止固定される。また、カバー本体部１０２に係止固定された状態で、周溝３２に装着されたＯリング３１が取付孔１０７内周面に適度に圧着されて、取付部３０が回動する際に、取付部３０がガタツキを生じず円滑に回動されるように構成されている。
【００２７】
そして、第二切換ハンドル部材６９は、このように取付部３０がカバー本体部１０２の取付孔１０７に回動可能に係止固定されるとともに、その被嵌合部２９が第一切換ハンドル部材６８の嵌合部２６に嵌合固定されている。そして、スピンドル７２の先端に回動不能に固定される第一切換ハンドル部材６８とともに切換ハンドル６６を構成し、カバー本体部１０２に対しては回動可能に軸着されて、上下方向のいずれかに切換ハンドル６６を回動させることによりスピンドル７２が回動され、ボデー６７内の切換弁６３が駆動されて吐水管又はシャワー装置から吐水、及び吐水そのものの停止を行うことができる。
【００２８】
このように、本固定構造１では、カバー本体部１０２に切換ハンドル６６の一方をＥリング３３により係止固定することとされているので、ねじ止めなどに比べて、Ｅリング３３を差し込むだけの簡単な作業で固定できる。また、カバー本体部１０２内側において係止固定でき、外部にＥリング３３が露呈せず、キャップなどによって被覆しなくとも美観を損なうことはない。
【００２９】
なお、本発明は上記した実施の形態に限られるものではなく、本発明の趣旨の範囲内で種々の変更が可能である。例えば、切換ハンドル６６は、切換弁装置６０の形状や取付部位によって、カバー本体部１０２の別の部位に係止固定することとしても良い。また、切換ハンドル６６のみなならず、他のハンドルの固定にこの固定構造１を用いても良い。また、Ｅリング３３に限らず、例えばＣリングなど別の手段によってカバー本体部１０２に固定することとしても良い。
【図面の簡単な説明】
【００３０】
【図１】本発明の水栓のアーム式ハンドルの固定構造を用いた水栓の一部分解正面図である。
【図２】図１の水栓の側面視縦断面図である。
【図３】本発明の固定構造を用いた切換弁装置の底面視横断面図である。
【図４】本発明の固定構造の要部分解斜視図である。
【図５】従来の水栓のアーム式ハンドルの固定構造を用いた水栓の分解斜視図である。
【符号の説明】
【００３１】
１；水栓のアーム式ハンドルの固定構造、２；壁面、３ａ，３ｂ；配管、４；ナット、５；クイックファスナー、６；スペーサ、７；固定ナット、１０；水栓、１２；水栓本体、１４；止水栓ユニット、１５；止水弁、１６；逆止弁、１７；操作スピンドル、１８；操作つまみ、２０；本体部、２１；把持部、２２；開口部、２３；内筒部、２４；キャップ、２５；アーム部、２６；嵌合部、２７；アーム部、２８；本体部、２９；被嵌合部、３０；取付部、３１；Ｏリング、３２；周溝、３３；Ｅリング、３４；差し込み溝、４０；混合弁装置、４１；フランジ、４４；水側接続管、４６；温度調節ハンドル、４８；サーモカートリッジ、５０；混合配管、６０；切換弁装置、６１ａ，ｂ，ｃ；通水室、６２；吐水配管、６３；切換弁、６４；シャワー配管、６５；通水部、６６；切換ハンドル、６７；ボデー、６８；第一切換ハンドル部材、６９；第二切換ハンドル部材、７２；スピンドル、７３；固定ナット、７４；スリーブ、７５ａ，ｂ，ｃ；接続部、７６；取付固定部、７８；内筒部、８０；ステー、８１；取付孔、８２；取付片、８３；取付片、８４；固定片、８５；固定片、１００；水栓カバー、１０２；カバー本体部、１０４；メンテナンスカバー、１０６；フタ、１０７；取付孔、１３０；固定プレート、１４０；水栓、１４１；ハンドル、１４２；水栓本体、１４３；取付部、１４４；取付部、１４５；ハンドル本体、１４６；取付部材、１４７；軸心、１４８；スピンドル、１４９；キャップ、１５０；固定構造。
【図１】
2006016761.tif 000003
【図２】
2006016761.tif 000004
【図３】
2006016761.tif 000005
【図４】
2006016761.tif 000006
【図５】
2006016761.tif 000007